(57)【特許請求の範囲】
【請求項１】
取付部とフリクションピン保持部を有し装置本体側へ取り付けられるホルダーと、このホルダーの前記フリクションピン保持部に設けたフリクションピン取付穴に圧入ピンを介してその一端部側を取り付け固定させたフリクションピンと、ディスプレー体側へ取り付けられる取付部とトルク発生部を有し前記フリクションピンを前記トルク発生部に設けたフリクションピン圧入穴へフリクション回動可能に圧入させて成るケース体と、前記フリクションピンの外周と前記ケース体のフリクションピン圧入穴との間に充填されているグリスと、前記ケース体の部分を外側から締め付ける締付リングとで構成し、前記フリクションピン圧入穴内には前記フリクションピンの弛挿部と締付部が設けられていることを特徴とする、チルトヒンジ。
【請求項２】
取付部とフリクションピン保持部を有し装置本体側へ取り付けられるホルダーと、このホルダーの前記フリクションピン保持部に設けたフリクションピン取付穴に圧入ピンを介してその一端部側を取り付け固定させたフリクションピンと、ディスプレー体側へ取り付けられる取付部とトルク発生部を有し前記フリクションピンを前記トルク発生部に設けたフリクションピン圧入穴へフリクション回動可能に圧入させて成るケース体と、前記フリクションピンの外周と前記ケース体のフリクションピン圧入穴との間に充填されているグリスと、前記ホルダーと前記ケース体の衝接部を覆って該ホルダーと該ケース体に被嵌させたグリスカバーとで構成し、前記フリクションピン圧入穴内には前記フリクションピンの弛挿部と締付部が設けられ、前記グリスカバーを同時に締付リングを兼ねるものと成すと共に、前記グリスカバーを前記ホルダーと前記ケース体の各外周に設けた周溝と係合させたことを特徴とする、チルトヒンジ。
【請求項３】
前記ホルダーとケース体との各々の衝接部に互いに段部を設けることによって形成したストッパー部を有することを特徴とする、請求項１乃至２のいずれかに記載のチルトヒンジ。
【請求項４】
前記弛挿部と締付部は交互に設けられていることを特徴とする、請求項１乃至２のいずれかに記載のチルトヒンジ。
【請求項５】
前記締付部の入り口には前記フリクションピンの圧入を容易にする傾斜部が設けられていることを特徴とする、請求項１乃至３のいずれかに記載のチルトヒンジ。
【請求項６】
前記圧入ピンはその外周に凹凸を設けてあることを特徴とする、請求項１乃至２のいずれかに記載のチルトヒンジ。
【発明の詳細な説明】
【０００１】
【発明の属する技術分野】
この発明は、とくにノート型パソコンのディスプレー体をキーボード等の装置本体に対し、開閉させる際に用いて好適なチルトヒンジに関する。
【０００２】
【従来の技術】
従来、この種のチルトヒンジは、ディスプレー体をキーボード等の装置本体に対し、任意の開成位置で停止保持させる機能を有することが必要とされており、そのためのフリクション機能として、円盤状のフリクションワッシャーを用い、その面部にフリクショントルクを発生させるようにしたものが公知である。そして、フリクションワッシャーを回動部材である例えば支持部材に圧接する手段としてスプリングワッシャー、皿ばね、ウエーブワッシャー、コンプレッションスプリング等の弾性手段を用い、かしめ或は締付ナットでフリクションワッシャーを支持部材等へ圧接状態にさせている。
【０００３】
【発明が解決しようとする課題】
上述した従来公知のチルトヒンジは、安価に製造でき、それはそれで充分に機能するものであったが、パソコン等のＯＡ機器は、ますます小型かつ薄型化しており、これに伴ってチルトヒンジも小型化が求められている。そこで従来公知のフリクションワッシャーを用いるものは、これを小型化しようとすれば、外径を小さくするしかなく、そうするとどうしてもフリクション面積が不足し、必要なフリクショントルクが得られないという問題が生じた。
これを解決する手段として、フリクションワッシャーの数を増やしたり、スプリングワッシャー等の数を増やすことも考えられるが、そうすると、構造が複雑となったり、部品点数が多くなって、製作コストが高くなるという問題が生じた。
この発明の目的は、より小型にできて、かつ、必要なフリクショントルクを得ることのできる、チルトヒンジを提供せんとするにある。
【０００４】
【課題を解決するための手段】
上述した目的を達成するためにこの発明は、取付部とフリクションピン保持部を有し装置本体側へ取り付けられるホルダーと、このホルダーのフリクションピン保持部に設けたフリクションピン取付穴に圧入ピンを介してその一端部側を取り付け固定させたフリクションピンと、ディスプレー体側へ取り付けられる取付部とトルク発生部を有し前記フリクションピンを前記トルク発生部に設けたフリクションピン圧入穴へフリクション回動可能に圧入させて成るケース体と、フリクションピンの外周と前記ケース体のフリクションピン圧入穴との間に充填されているグリスと、ケース体の部分を外側から締め付ける締付リングとで構成し、フリクションピン圧入穴内にはフリクションピンの弛挿部と締付部が設けられていることにより、小径かつ小型であってフリクションピンの外周とフリクションピン圧入穴との間に高いフリクショントルクを創出することができるものである。
【０００５】
この発明によれば、さらに、フリクションピン圧入穴内に前記フリクションピンの弛挿部と締付部を設けた上で、グリスカバーを同時に締付リングを兼ねるものと成すと共に、このグリスカバーをホルダーとケース体の各外周に設けた周溝と係合させることができる。
【０００６】
この発明はさらに、ホルダーとケース体との各々の衝接部に、互いに段部によって形成したストッパー部を設けることができる。
【０００７】
この発明はまた、弛挿部と締付部を交互に設け、さらに締付部の入り口には前記フリクションピンの圧入を容易にする傾斜部を設けることができる。
【０００８】
そしてこの発明は、圧入ピンの外周に凹凸を設けることができる。
【０００９】
【発明の実施の形態】
以下にこの発明の一実施の形態について説明する。図１乃至図８において、１はキーボード等の装置本体Ａ側へ取り付けられる取付部１ａとフリクションピン保持部１ｂを同軸方向に一体に設けたホルダーであり、取付部１ａは板状を呈し、取付孔１ｃ，１ｃが設けられている。尚、この取付部１ａの形状及び構成は実施の形態のものに限定されない。それは、断面四角形状、半円形状等さまざまな形状のものが考えられ、後述するように、取付孔を有しないものもある。
【００１０】
フリクションピン保持部１ｂは筒状のもので、一端部より取付部１ａに向けて軸方向にフリクションピン取付穴１ｄが設けられている。このフリクションピン保持部1ｂには、とくに図１と図３に示したように、その外周にはフリクションピン取付穴１ｄ側より面取り部１ｅが設けられると共に、この面取り部１ｅに続いて中径部１ｆとが設けられ、さらにこの中径部１ｆと大径部１ｇの間には、浅い周溝１ｈが設けられている。
【００１１】
２は、一端部側をホルダー１のフリクションピン取付穴１ｄへ圧入させて成るフリクションピンであり、このフリクションピン２は、筒状のものであり、とくに図５と図６に示したように、両端部に面取り部２ａ，２ａを施すと共に、軸方向に割溝２ｂを設けることにより、ラジアル方向へ拡張収縮する弾性を付与されている。
【００１２】
３は、フリクションピン２をホルダー１のフリクションピン取付穴１ｄへ固定させるために、フリクションピン２内のホルダー１側へ圧入された圧入ピンであり、とくに図７と図８に示したように、その外周軸方向にはロールット加工による凹凸部３ａが設けられ、圧入側端部に小ボス３ｂが設けられている。この圧入ピン３によって、フリクションピン２は半径方向へ拡張されてホルダー１へ非回転にしっかりと固定される。尚、凹凸部３ａは軸方向以外にも円周方向へ設けられても良い。その数及び形状に限定はない。
【００１３】
４はディスプレー体Ｂへ取り付けられる取付部４ａとの筒状のトルク発生部４ｂを同軸方向に一体に連設したケース体であり、取付部４ａは板状を呈し、取付孔４ｃ，４ｃが設けられている。尚、この取付部４ａの形状は実施の形態のものに限定されない。それは、断面四角形状、半円形状等さまざまな形状のものが考えられ、後述するように、取付孔を有しないものもある。
【００１４】
トルク発生部４ｂにはフリクションピン圧入穴４ｄが設けられ、内部はフリクションピン２が圧入される構成となっている。このフリクションピン圧入穴４ｄの内部には、とくに図４に示したように、その入口部分の第１弛挿部４ｅと、この第１弛挿部４ｅに続いて設けられた若干小径小幅の第１締付部４ｆと、この第１締付部４ｆに続いて設けられた若干大径小幅の第２弛挿部４ｇと、この第２弛挿部４ｇに続いて設けられた若干小径大幅な第２締付部４ｈと、この第２締付部４ｈに続いて設けられフリクションピン圧入穴４ｄの終端部に達する若干大径の第３弛挿部４ｉがそれぞれ交互に設けられている。この各弛挿部と各締付部の径の違いは実施の形態のもので０．０５〜０．１５ｍｍ程度の間である。そして、第１弛挿部４ｅと第１締付部４ｆとの間には、フリクションピン２の圧入を容易とするための傾斜部４ｊが設けられている。尚、このフリクションピン圧入穴の内部構造は実施の形態のものに限定されない。
【００１５】
ケース体４のトルク発生部４ｂの外径は、とくに図２と図４に示したように、フリクションピン圧入穴４ｄの側に小さな段部４ｋが設けられると共に、この段部４ｋに続いて中径部４ｌが設けられ、この中径部４ｌと大径部４ｍとの間に小幅の周溝４ｎが設けられている。
【００１６】
ホルダー１のフリクションピン保持部１ｂの中径部１ｆとケース体４のトルク発生部４ｂの中径部４ｌは同径であり、この部分にグリスカバー５が被嵌されている。このグリスカバー５は例えばポリオレフィン等の樹脂製であり、フリクションピン保持部１ｂの中径部１ｆとケース体４のトルク発生部４ｂの中径部４ｌに被嵌させた上で、熱を加えることにより収縮して、外周より締め付けることになる。
【００１７】
このグリスカバー５はまた、トルク発生部４ｂ及び又はフリクションピン保持部１ｂを外側より締め付ける締付リングに代えることができ、両者を兼務するものとしても良い。
【００１８】
ホルダー１のフリクションピン保持部１ｂとケース体４のトルク発生部４ｂの該外周に設けた周溝１ｈと周溝４ｎは、グリスカバー５の両側が喰い込んで、グリスの漏れを防止すると共に、ホルダー１とケース体４が互いに軸方向へ移動するのも防止することができるものである。
【００１９】
図９乃至図１２は、他の実施の形態を示し、この実施の形態におけるチルトヒンジも、基本的な構成部品が、取付部１０ａとフリクションピン保持部１０ｂから成るホルダー１０と、軸方向に割溝１１ａを設けラジアル方向に弾性を付与されているフリクションピン１１と、このフリクションピン１１をホルダー１０のフリクションピン保持部１０ｂのフリクションピン取付穴１０ｄへ挿入固着させる圧入ピン１２と、取付部１３ａとフリクションピン１１を圧入さるフリクションピン圧入穴１３ｄを有するトルク発生部１３ｂを有するケース体と、グリスカバー１７とから構成されている点は、先の実施の形態のものと同じであるが、ホルダー１０とケース体１３の各取付部１０ａ，１３ａの形状を断面略小判形状の短いものとしたことと、フリクションピン保持部１０ｂとトルク発生部１３ｂの互いの衝接部にストッパー用の段部１０ｃ，１３ｃを設けた点等が先の実施の形態のものと相違している。それに、トルク発生部１３ｂの外周を両端部を除いて薄肉化してある点も相違している。これは薄肉化した部分に弾性を持たせる意味を有している。必要に応じてこの部分に締付リングを被嵌させることもできよう。
【００２０】
ホルダー１０のフリクションピン保持部１０ｂには、とくに図１０と図１１に示したように、フリクションピン取付穴１０ｄが設けられ、その外周には中径部１０ｅと大径部１０ｆが設けられており、とくに図１０と図１２に示したように、トルク発生部１３ｂに設けたフリクションピン圧入穴１３ｄには、その第１弛挿部１３ｅ、第１締付部１３ｆ、第２弛挿部１３ｇ、第２締付部１３ｈ、及び第３弛挿部１３ｉが設けられていることと、第１弛挿部１３ｅと第１締付部１３ｆとの間、第２弛挿部１３ｇと第２締付部１３ｈとの間には，各々傾斜部１３ｊと１３ｋが設けられ、フリクションピン１１の圧入を容易としている。図１０に示したように、グリス１４がフリクションピン１１の外周とフリクションピン圧入穴１３ｄとの間に充填される点もまた、上記の実施の形態のものと同じである。
【００２１】
したがって、ホルダー１０の取付部１０ａを装置本体Ａ（図２に表示）側にブラケット１５（図９と図１０にのみ表示）を介して取り付け、ケース体の取付部にディスプレー体Ｂ（図２に表示）の端部を同じくブラケット１６（図９と図１０にのみ表示）を用いて取り付け、ディスプレー体Ｂを開閉させると、ケース体１３が回転しフリクションピン１１の外周とトルク発生部１３ｂのフリクションピン圧入穴１３ｄのとくに締付部との間にフリクショントルクが発生して、このフリクショントルクによりディスプレー体Ｂを任意の開成角度で安定停止させることができるものである。
【００２２】
尚、この発明に係るチルトヒンジは、ノート型パソコン以外の小型ＯＡ機器用のチルトヒンジ、ピアノやオルガンの蓋開閉用チルトヒンジ、その他さまざまな機器に用いられるチルトヒンジとして用いることができる。
【００２３】
【発明の効果】
この発明は以上のように構成したので、次のような効果を奏し得る。
【００２４】
請求項１のように構成すると、軸方向に割溝を設けたパイプ状のフリクションピンをホルダーに設けたフリクションピン取付穴へ挿入させ、圧入ピンでフリクションピンの外周をフリクションピン取付穴の内周へ圧接させて固定させる構成としたので、フリクションピンの取付状態がしっかりとした強固なものとなり、かつ、フリクションピンの軸芯がホルダーの軸芯と一致することから、安定したフリクショントルクを得ることができると共に、ホルダーに取り付けたフリクションピンの外周とこのフリクションピンを圧入したケース体のフリクションピン圧入穴との間にフリクショントルクが発生し、このフリクショントルクが発生する面積をフリクションワッシャーを用いるものよりも広くとれるので、小型かつ小径のものでも、大きなフリクショントルクを得ることができるものである。
【００２５】
請求項２のように構成すると、請求項１と同じ効果を奏した上で、グリスカバーによりグリスが外側へにじみ出てくることを防止することができる。
【００２６】
請求項３のように構成すると、別の部材でストッパー部を設けなくても、ホルダーとケース体の互いの衡接部を利用してストッパー部を設け、ケース体の回転角度を規制することができる。
【００２７】
請求項４のように構成すると、フリクショントルクが発生する部位が特定し、フリクショントルクをばらつきのない安定したものとすることができる。
【００２８】
請求項５のように構成すると、フリクションピンを締付部へ挿入し易くなるという効果を奏し得る。
【００２９】
請求項６のように構成すると、フリクションピンのフリクションピン取付穴に対する固定状態がより安定強固なものとなるという効果を奏し得る。
【図面の簡単な説明】
【図１】  この発明に係るチルトヒンジの平面図である。
【図２】  この発明に係るチルトヒンジの縦断面図である。
【図３】  ホルダーの拡大縦断面図である。
【図４】  ケース体の拡大縦断面図である。
【図５】  フリクションピンの正面図である。
【図６】  フリクションピンの右側面図である。
【図７】  圧入ピンの正面図である。
【図８】  圧入ピンの右側面図である。
【図９】  この発明に係るチルトヒンジの他の実施の形態を示す平面図である。
【図１０】  図９に示したチルトヒンジの縦断面図である。
【図１１】  図９に示したチルトヒンジのホルダーの縦断面図である。
【図１２】  図９に示したチルトヒンジのケース体の縦断面図である。
【符号の説明】
Ａ  装置本体
Ｂ  ディスプレー体
１，１０  ホルダー
１ａ，１０ａ  取付部
１ｂ，１０ｂ  フリクションピン保持部
１ｄ，１０ｄ  フリクションピン取付穴
２，１１  フリクションピン
２ｂ  割溝
３，１２  圧入ピン
３ａ  凹凸部
４，１３  ケース体
４ａ，１３ａ  取付部
４ｂ，１３ｂ  トルク発生部
４ｄ，１３ｄ  フリクションピン圧入穴
５，１７  グリスカバー
６，１４  グリス
【図１】
0004137324.tif 000002
【図２】
0004137324.tif 000003
【図３】
0004137324.tif 000004
【図４】
0004137324.tif 000005
【図５】
0004137324.tif 000006
【図６】
0004137324.tif 000007
【図７】
0004137324.tif 000008
【図８】
0004137324.tif 000009
【図９】
0004137324.tif 000010
【図１０】
0004137324.tif 000011
【図１１】
0004137324.tif 000012
【図１２】
0004137324.tif 000013